(57)【要約】【課題】マンコンベアで使用される移動手摺を簡単に且つ短時間で温めることができ、外気温の低下によって移動手摺が硬化しても、マンコンベアの通常走行を早期に再開することができるようにする。【解決手段】マンコンベアの移動手摺７の表面に、移動手摺７の長手に沿って電極１３ａ及び１３ｂを設ける。また、この移動手摺７の内部に複数の電熱線１４を埋め込み、各電熱線１４を電極１３ａ及び１３ｂに接続する。そして、電極１３ａ及び１３ｂに電圧を印加することによって各電熱線１４に電流を流し、移動手摺７を温めるための熱を各電熱線１４から発熱させる。【選択図】図２
2010195569.tif 000002
【特許請求の範囲】
【請求項１】
マンコンベアの乗客が把持するために設けられた無端状の移動手摺と、
前記移動手摺の表面に、前記移動手摺の長手に沿って設けられた第１電極と、
前記移動手摺の表面に、前記第１電極に接することなく前記移動手摺の長手に沿って設けられた第２電極と、
前記移動手摺の内部に設けられ、前記第１電極及び前記第２電極を接続する電熱線と、
前記第１電極及び前記第２電極間に電圧を印加することにより、前記電熱線を発熱させる加温制御装置と、
を備えたことを特徴とするマンコンベアの移動手摺用加温装置。
【請求項２】
電熱線は、移動手摺の長手全体に渡って配置されるように、前記移動手摺の短手方向に沿って複数設けられ、それぞれが、第１電極及び第２電極間に並列接続されたことを特徴とする請求項１に記載のマンコンベアの移動手摺用加温装置。
【請求項３】
第１電極は、横断面Ｃ字状を呈する移動手摺の一縁部に設けられ、
第２電極は、前記移動手摺の他縁部に設けられた
ことを特徴とする請求項１又は請求項２に記載のマンコンベアの移動手摺用加温装置。
【請求項４】
第１電極及び第２電極は、導電ゴムからなることを特徴とする請求項１から請求項３の何れかに記載のマンコンベアの移動手摺用加温装置。
【請求項５】
手摺本体の表面に、前記手摺本体の長手に沿って設けられた第１電極と、
前記手摺本体の表面に、前記第１電極に接することなく前記手摺本体の長手に沿って設けられた第２電極と、
前記手摺本体の内部に設けられ、前記第１電極及び前記第２電極を接続する電熱線と、
を備えたことを特徴とするマンコンベア用手摺。
【請求項６】
電熱線は、手摺本体の長手に渡って配置されるように、前記手摺本体の短手方向に沿って複数設けられ、それぞれが、第１電極及び第２電極間に並列接続されたことを特徴とする請求項５に記載のマンコンベア用手摺。
【請求項７】
第１電極は、横断面Ｃ字状を呈する手摺本体の一縁部に設けられ、
第２電極は、前記手摺本体の他縁部に設けられた
ことを特徴とする請求項５又は請求項６に記載のマンコンベア用手摺。
【請求項８】
第１電極及び第２電極は、導電ゴムからなることを特徴とする請求項５から請求項７の何れかに記載のマンコンベア用手摺。
【発明の詳細な説明】
【技術分野】
【０００１】
この発明は、エスカレータや動く歩道等のマンコンベアで使用される移動手摺用加温装置、及び、マンコンベアでの使用を目的としたマンコンベア用手摺に関するものである。
【背景技術】
【０００２】
エスカレータや動く歩道といったマンコンベアでは、一般に、横断面Ｃ字状を呈する無端状の移動手摺が使用され、乗客が移動する際に乗る踏段と同期するように、この移動手摺が駆動されている。
【０００３】
マンコンベアで使用される移動手摺には、通常、ゴム材料が多く使用されているため、移動手摺は、外気温の低下とともに硬くなる特性を有している。このため、寒冷地では、例えば、建物内の暖房が止められてしまう夜間に移動手摺の柔軟性が失われることがあり、かかる場合は、マンコンベアを朝起動させても、移動手摺の走行が開始されないことがあった。
【０００４】
このような事情に鑑み、移動手摺を温めることができる装置を備えたマンコンベアも提案されている（例えば、特許文献１参照）。このマンコンベアでは、移動手摺の走行を案内する案内レールの内部に電熱線を配置することにより、通電によって上記電熱線を発熱させて、移動手摺の凍結を防止している。
【先行技術文献】
【特許文献】
【０００５】
【特許文献１】特開２００４−２６９１４２号公報
【発明の概要】
【発明が解決しようとする課題】
【０００６】
特許文献１に記載のものでは、案内レールの内部に電熱線が配置されているため、電熱線を発熱させても、案内レール内部の空気を介してしか移動手摺に熱を伝えることができない。このため、熱効率が著しく悪く、移動手摺が一旦硬化してしまうと、走行に必要な柔軟性を回復させるまでに、長時間を要してしまうといった問題があった。
【０００７】
また、特許文献１に記載のものでは、電熱線が移動手摺の往路側の下方にしか配置されていない。このため、移動手摺の帰路側の構成（走行経路等）によっては、往路側のみ温めても、移動手摺全体に作用する走行抵抗を十分に低下させることができず、その後にマンコンベアを起動しても、移動手摺の走行が開始されない、或いは、移動手摺が踏段と同期しないことがあった。
【０００８】
この発明は、上述のような課題を解決するためになされたもので、その目的は、マンコンベアで使用される移動手摺を簡単に且つ短時間で温めることができ、外気温の低下によって移動手摺が硬化しても、マンコンベアの通常走行を早期に再開することができるマンコンベアの移動手摺用加温装置と、マンコンベアにおいて上記効果を実現可能なマンコンベア用手摺とを提供することである。
【課題を解決するための手段】
【０００９】
この発明に係るマンコンベアの移動手摺用加温装置は、マンコンベアの乗客が把持するために設けられた無端状の移動手摺と、移動手摺の表面に、移動手摺の長手に沿って設けられた第１電極と、移動手摺の表面に、第１電極に接することなく移動手摺の長手に沿って設けられた第２電極と、移動手摺の内部に設けられ、第１電極及び第２電極を接続する電熱線と、第１電極及び第２電極間に電圧を印加することにより、電熱線を発熱させる加温制御装置と、を備えたものである。
【００１０】
この発明に係るマンコンベア用手摺は、手摺本体の表面に、手摺本体の長手に沿って設けられた第１電極と、手摺本体の表面に、第１電極に接することなく手摺本体の長手に沿って設けられた第２電極と、手摺本体の内部に設けられ、第１電極及び第２電極を接続する電熱線と、を備えたものである。
【発明の効果】
【００１１】
この発明によれば、マンコンベアで使用される移動手摺を簡単に且つ短時間で温めることができ、外気温の低下によって移動手摺が硬化しても、マンコンベアの通常走行を早期に再開することができるようになる。
【図面の簡単な説明】
【００１２】
【図１】マンコンベアの全体構成を示す側面図である。
【図２】この発明の実施の形態１におけるマンコンベアの移動手摺用加温装置を示す構成図である。
【図３】この発明の実施の形態１における移動手摺の要部を示す斜視図である。
【発明を実施するための形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
図１はマンコンベアの全体構成を示す側面図である。以下においては、マンコンベアの一例として、上下階床間の移動の際に利用されるエスカレータの構成について具体的に説明し、動く歩道等の他の例については、その説明を省略する。
【００１５】
図１において、１は上下階床間に架け渡されたエスカレータの主枠、２は下部乗降口、３は上部乗降口、４は踏段、５は踏段４の走行制御等、エスカレータ全体の制御を司る制御盤である。上記踏段４は、エスカレータの乗客が下部乗降口２及び上部乗降口３間を移動する際に乗るためのものである。この踏段４は、踏段チェーン６に多数連結されることによって全体として無端状に構成され、下部乗降口２及び上部乗降口３間を循環移動している。
また、７は踏段４に乗って移動する乗客が把持するための移動手摺、８は移動手摺７を、摩擦駆動方式等によって駆動する手摺駆動装置である。
【００１６】
移動手摺７は、その要部がゴム材料からなり、無端状を呈している。具体的に、移動手摺７は、その上部側が、踏段４の側方に立設された欄干９の上端部に沿って移動し、乗客が乗る踏段４と同期するように駆動されている。また、移動手摺７は、下部乗降口２及び上部乗降口３において上下に反転され、下部側が、踏段４の側方に設けられたスカートガード内等に配置されている。なお、移動手摺７の上部側と両反転部とは、欄干９の縁部に設けられた案内レール（図示せず）によってその走行方向が案内されている。
【００１７】
上記構成を有するエスカレータが、例えば、寒冷地の建物に据え付けられている場合、冬季になると、外気温の低下とともに移動手摺７が硬化してしまう恐れがある。このため、上記エスカレータには、上部機械室等に加温制御装置１０が備えられており、上記移動手摺７にも特有の構成が備えられている。
【００１８】
以下に、図２及び図３も参照して、上記加温装置１０及び移動手摺７の具体的構成について説明する。なお、図２はこの発明の実施の形態１におけるマンコンベアの移動手摺用加温装置を示す構成図、図３はこの発明の実施の形態１における移動手摺の要部を示す斜視図である。
【００１９】
図１乃至図３において、移動手摺７は、横（短手方向）断面が略Ｃ字状を呈しており、対向する一縁部１１ａ及び他縁部１１ｂの間に、その長手に渡って開口１２が形成されている。そして、移動手摺７の一縁部１１ａには、移動手摺７の長手に沿って棒状の電極１３ａが設けられており、この電極１３ａが、移動手摺７の長手に渡って一縁部１１ａの外側表面から僅かに突出するように配置されている。
【００２０】
また、移動手摺７の他縁部１１ｂ側も、一縁部１１ａ側と同様の構成を有している。即ち、移動手摺７の他縁部１１ｂには、移動手摺７の長手に沿って棒状の電極１３ｂが設けられており、この電極１３ｂが、移動手摺７の長手に渡って他縁部１１ｂの外側表面から僅かに突出するように配置されている。
なお、電極１３ａ及び１３ｂは、例えば、導電ゴムから構成される。
【００２１】
また、移動手摺７には、その内部に、多数の電熱線１４が埋め込まれている。電熱線１４は、それぞれの一端部が電極１３ａに、他端部が電極１３ｂに接続されることにより、電極１３ａ及び１３ｂ間に並列接続されている。そして、電熱線１４は、例えば、所定の間隔（例えば、Ｌ＝２０ｃｍ）毎に移動手摺７の短手方向に沿って設けられ、移動手摺７の長手全体に渡って配置されている。
【００２２】
加温制御装置１０は、各電熱線１４を発熱させて、移動手摺７の全体を温めるための機能を有している。即ち、加温制御装置１０は、電極１３ａ及び１３ｂ間に電圧を印加して、移動手摺７内に設けられている各電熱線１４に電流を流すことにより、移動手摺７を温めるための熱を各電熱線１４から発生させる。
【００２３】
上記機能を有するため、加温制御装置１０には、例えば、電源１５、制御用の電源制御ユニット１６、加温温度調整用の可変抵抗１７、電極１８ａ及び１８ｂが備えられている。
上記電源制御ユニット１６は、電源１５のＯＮ／ＯＦＦ機能や可変抵抗１７の調節機能を有している。例えば、電源制御ユニット１６は、外気温や時刻、移動手摺７の温度等の各条件或いは組み合わせ条件に基づき、電源１５のＯＮ／ＯＦＦ制御を実施する。
【００２４】
また、一方の電極１８ａは電極１３ａに、他方の電極１８ｂは電極１３ｂに対向するように配置されている。即ち、電極１８ａ及び１８ｂが電極１３ａ及び１３ｂの各露出部分に接触することにより、電源１５の電圧が各電熱線１４に印加される。なお、電極１８ａ及び１８ｂは、例えば、欄干９や主枠１内等に配置される。
【００２５】
上記構成を有する移動手摺用加温装置の使用により、移動手摺７全体を簡単に且つ短時間で温めることができるようになる。このため、例えば、外気温が低下することによって移動手摺７が硬化しても、移動手摺７全体の柔軟性を短時間で回復させることができ、マンコンベアの通常走行を早期に再開させることが可能となる。
【００２６】
即ち、電熱線１４を発熱させることによって、移動手摺７をその内部から直接温めることができるため、熱効率が極めて良く、移動手摺７を短時間で所定の温度まで上昇させることができる。また、電熱線１４が移動手摺７の長手全体に渡って配置されているため、移動手摺７全体を同時に温めることができ、移動手摺７全体の柔軟性を同時に回復させることができる。したがって、加温後に移動手摺７の走行が開始されないといった従来の不具合を確実に解消することが可能となる。
【００２７】
また、移動手摺７内の電熱線１４が電極１３ａ及び１３ｂ間に並列接続されているため、電熱線１４に通電した際の発熱量を大きくできる。更に、電熱線１４を移動手摺７の短手方向に配置して各電熱線１４の長さを短くしていることからも、発熱量を大きくすることができる。したがって、移動手摺７を温めるために必要な時間を大幅に短縮させることができ、移動手摺７が硬化していても、マンコンベアの通常走行を早期に再開させることが可能となる。
【００２８】
また、電極１３ａを移動手摺７の一縁部１１ａに、電極１３ｂを移動手摺７の他縁部１１ｂに沿って配置し、この電極１３ａ及び１３ｂ間に電熱線１４を接続しているため、移動手摺７の両縁部１１ａ及び１１ｂまでも隈なく温めることができる。
なお、電極１３ａ及び１３ｂは、互いに接触することなく移動手摺７の長手に沿って配置されていれば良く、上記構成に限定されるものではない。例えば、電極１８ａ及び１８ｂを案内レールに設け、電極１３ａ及び１３ｂを、横断面Ｃ字状を呈する移動手摺７の内側面から露出させるように構成しても良い。
【００２９】
また、電極１３ａ及び１３ｂを導電ゴムで構成することにより、移動手摺７に必要な柔軟性を容易に確保することができ、電極１３ａ及び１３ｂの設置によって移動手摺７の走行が阻害されることもない。
【００３０】
なお、上記構成の移動手摺７を製造する際には、先ず、図３に示す移動手摺７と同じ構成を有する長尺の手摺本体を製作する。そして、この手摺本体を所定の長さに切断してその両端部を接続することにより、無端状（環状）の移動手摺７を完成させる。
なお、電極１３ａが電極１８ａに、電極１３ｂが電極１８ｂに接触すれば、電熱線１４を発熱させることができるため、移動手摺７の電極１３ａ及び１３ｂを必ずしも無端状に形成する必要はない。即ち、上記手摺本体の接続部には、電極１３ａの両端部間、電極１３ｂの両端部間に隙間が生じていても良い。かかる場合、例えば、電極１８ａ及び１８ｂの長さを上記隙間よりも長くしておけば、上記効果と同様の効果が期待できる。
【符号の説明】
【００３１】
１  主枠、  ２  下部乗降口、  ３  上部乗降口、  ４  踏段、  ５  制御盤、
６  踏段チェーン、  ７  移動手摺、  ８  手摺駆動装置、  ９  欄干、
１０  加温制御装置、  １１ａ  一縁部、  １１ｂ  他縁部、  １２  開口、
１３ａ  電極、  １３ｂ  電極、  １４  電熱線、  １５  電源、
１６  電源制御ユニット、  １７  可変抵抗、  １８ａ  電極、  １８ｂ  電極
【図１】
2010195569.tif 000003
【図２】
2010195569.tif 000004
【図３】
2010195569.tif 000005